(57)【要約】【課題】空気調和機の室内機から送信されるデータを表示部に表示させる際の操作を容易に行なうことができる空気調和機のデータ表示装置を提供する。【解決手段】空気調和機のデータ表示装置５において、三角筒状に形成され、載置部１７に載置される底面部１３と、この底面部１３に対して鋭角に傾斜した第一面部１４と第二面部１５とを有する筐体１２と、空気調和機の室内機２との間で赤外線による双方向通信を行うための表示装置側発光素子１８ａ、１８ｂ及び表示装置側受光素子１９ａ、１９ｂと、第一面部１４に設けられ、室内機２から送信されたデータが表示される表示部と、を備え、表示装置側発光素子１８ａ、１８ｂは、第一面部１４側と第二面部１５側とに設けられている。【選択図】    図１
2009236376.tif 000002
【特許請求の範囲】
【請求項１】
三角筒状に形成され、載置部に載置される底面部と、この底面部に対して鋭角に傾斜した第一面部と第二面部とを有する筐体と、
空気調和機の室内機との間で赤外線による双方向通信を行うための表示装置側発光素子及び表示装置側受光素子と、
前記第一面部に設けられ、前記室内機から送信されたデータが表示される表示部と、
を備え、
前記表示装置側発光素子は、前記第一面部側と前記第二面部側とに設けられていることを特徴する空気調和機のデータ表示装置。
【請求項２】
三角筒状に形成され、載置部に載置される底面部と、この底面部に対して鋭角に傾斜した第一面部と第二面部とを有する筐体と、
空気調和機の室内機との間で赤外線による双方向通信を行うための表示装置側発光素子及び表示装置側受光素子と、
前記第一面部に設けられ、前記室内機から送信されたデータが表示される表示部と、
を備え、
前記表示装置側受光素子は、前記第一面部側と前記第二面部側とに設けられていることを特徴する空気調和機のデータ表示装置。
【請求項３】
三角筒状に形成され、載置部に載置される底面部と、この底面部に対して鋭角に傾斜した第一面部と第二面部とを有する筐体と、
空気調和機の室内機との間で赤外線による双方向通信を行うための表示装置側発光素子及び表示装置側受光素子と、
前記第一面部に設けられ、前記室内機から送信されたデータが表示される表示部と、
を備え、
前記表示装置側発光素子と前記表示装置側受光素子とは、前記第一面部側と前記第二面部側とに設けられていることを特徴する空気調和機のデータ表示装置。
【請求項４】
前記第一面部側に設けられた前記表示装置側発光素子と前記表示装置側受光素子とは前記第一面部側の上部に配置され、
前記第二面部側に設けられた前記表示装置側発光素子と前記表示装置側受光素子とは前記第二面部側の下部に配置されていることを特徴とする請求項１ないし３のいずれか一に記載の空気調和機のデータ表示装置。
【請求項５】
前記第一面部側に設けられた前記表示装置側発光素子と前記表示装置側受光素子とは前記第一面部側の下部に配置され、
前記第二面部側に設けられた前記表示装置側発光素子と前記表示装置側受光素子とは前記第二面部側の下部に配置されていることを特徴とする請求項１ないし３のいずれか一に記載の空気調和機のデータ表示装置。
【請求項６】
前記第一面部側に設けられた前記表示装置側発光素子と前記表示装置側受光素子とは前記第一面部側の上部に配置され、
前記第一面部側に設けられた前記表示装置側発光素子と前記表示装置側受光素子との下側に反射壁が設けられ、
前記第二面部側に設けられた前記表示装置側発光素子と前記表示装置側受光素子とは前記第二面部側の上部に配置され、
前記第二面部側に設けられた前記表示装置側発光素子と前記表示装置側受光素子との下側に反射壁が設けられていることを特徴とする請求項１ないし３のいずれか一に記載の空気調和機のデータ表示装置。
【請求項７】
前記第一面部側に設けられた操作部と、前記操作部が操作された場合に前記室内機との間の双方向通信を開始させる手段とを備えることを特徴とする請求項１ないし６のいずれか一に記載の空気調和機のデータ表示装置。
【発明の詳細な説明】
【技術分野】
【０００１】
本発明は、空気調和機のデータ表示装置に関し、特に、空気調和機の室内機から送信されたデータを表示する空気調和機のデータ表示装置に関する。
【背景技術】
【０００２】
近年、家庭やオフィス等で使用される空気調和機には、室内機とリモートコントローラとに赤外線を利用した双方向通信機能を持たせ、リモートコントローラから室内機に対して送信要求信号を送信した場合に室内機から様々なデータをリモートコントローラに送信し、送信されたデータをリモートコントローラの表示部に表示するようにしたものが普及している。室内機からリモートコントローラに送信されるデータとしては、室内機内で測定している空気調和機の消費電力や、室内機内のセンサで検知した室内の温度や湿度等である。このような双方向通信機能を備えた空気調和機としては、例えば、下記特許文献１に記載されたものが知られている。
【０００３】
特許文献１に記載された空気調和機は、必要なデータを表示部に表示させる場合には、リモートコントローラを把持し、リモートコントローラの送受信部（発光素子及び受光素子）を室内機に向けた状態で必要なボタン操作を行っている。なお、リモートコントローラの送受信部は、１つの発光素子と１つの受光素子とを備えている。
【特許文献１】特許第３９２８６７９号公報
【発明の開示】
【発明が解決しようとする課題】
【０００４】
室内機から送信されるデータを表示部に表示させる場合に、その都度リモートコントローラを拾い上げ、その後にリモートコントローラの送受信部を室内機に向けた状態でボタン操作を行うことが必要であり、この一連の操作がめんどうであった。
【０００５】
本発明はこのような課題を解決するためになされたものであり、その目的は、空気調和機の室内機から送信されるデータを表示部に表示させる際の操作を容易に行なうことができる空気調和機のデータ表示装置を提供することである。
【課題を解決するための手段】
【０００６】
本発明の実施の形態に係る第一の特徴は、空気調和機のデータ表示装置において、三角筒状に形成され、載置部に載置される底面部と、この底面部に対して鋭角に傾斜した第一面部と第二面部とを有する筐体と、空気調和機の室内機との間で赤外線による双方向通信を行うための表示装置側発光素子及び表示装置側受光素子と、前記第一面部に設けられ、前記室内機から送信されたデータが表示される表示部と、を備え、前記表示装置側発光素子は、前記第一面部側と前記第二面部側とに設けられていることである。
【０００７】
本発明の実施の形態に係る第２の特徴は、空気調和機のデータ表示装置において、三角筒状に形成され、載置部に載置される底面部と、この底面部に対して鋭角に傾斜した第一面部と第二面部とを有する筐体と、空気調和機の室内機との間で赤外線による双方向通信を行うための表示装置側発光素子及び表示装置側受光素子と、前記第一面部に設けられ、前記室内機から送信されたデータが表示される表示部と、を備え、前記表示装置側受光素子は、前記第一面部側と前記第二面部側とに設けられていることである。
【０００８】
本発明の実施の形態に係る第３の特徴は、空気調和機のデータ表示装置において、三角筒状に形成され、載置部に載置される底面部と、この底面部に対して鋭角に傾斜した第一面部と第二面部とを有する筐体と、空気調和機の室内機との間で赤外線による双方向通信を行うための表示装置側発光素子及び表示装置側受光素子と、前記第一面部に設けられ、前記室内機から送信されたデータが表示される表示部と、を備え、前記表示装置側発光素子と前記表示装置側受光素子とは、前記第一面部側と前記第二面部側とに設けられていることである。
【発明の効果】
【０００９】
本発明によれば、空気調和機の室内機から送信されるデータを表示部に表示させる際の操作を容易に行なうことができるデータ表示装置を提供するとともに、このデータ表示装置と室内機との間で行なわれる送信及び／又は受信の性能を向上させることができる。
【発明を実施するための最良の形態】
【００１０】
以下、本発明の実施の形態を図面を用いて説明する。
【００１１】
（第１の実施の形態）
本発明の第１の実施の形態に係るデータ表示装置５は空気調和機１の一部を構成し、この空気調和機１は、図１に示すように、室内機２と、室外機３と、リモートコントローラ４と、データ表示装置５とを備えている。
【００１２】
室内機２は室内の壁面等に取付けられ、室内機２の内部には室内熱交換器や送風ファン（いずれも図示せず）が収容されている。この室内機２では、送風ファンが駆動されることにより室内の空気が室内熱交換器に向けて送風され、送風された空気が室内熱交換器により加熱され又は冷却され、温風又は冷風となって室内に吹き出す。
【００１３】
また、室内機２には、リモートコントローラ４及びデータ表示装置５との間で赤外線による双方向通信を行うための室内機側発光素子６と室内機側受光素子７とが設けられている。
【００１４】
室外機３は室外に設置され、室外機３の内部には室外熱交換器や送風ファンや圧縮機（いずれも図示せず）が収容されている。室外機３と室内機２とは、冷媒が流れる冷媒配管及び信号を送受信する信号線により接続されている。
【００１５】
リモートコントローラ４は、空気調和機１を運転操作するために用いられる。リモートコントローラ４には、室内機２との間で赤外線による双方向通信を行うためのコントローラ側発光素子８とコントローラ側受光素子９とが設けられている。さらに、リモートコントローラ４には、液晶表示部１０と、各種の操作ボタン１１とが設けられている。液晶表示部１０には、リモートコントローラ４側で設定した空気調和機１の運転条件（例えば、設定温度、タイマ予約時間等）や、室内機２から送信されたデータ（例えば、消費電力、測定した温度・湿度等）が表示される。なお、室内機２からのデータの送信は、リモートコントローラ４から室内機２に対して送信要求の信号を送信した場合に行なわれる。
【００１６】
データ表示装置５は、図１及び図２に示すように、三角筒状の筐体１２を有し、筐体１２の外周の三面は、底面部１３と、第一面部である前面部１４と、第二面部である背面部１５とにより囲まれ、筐体１２の両端は側板１６により閉止されている。前面部１４と背面部１５とは、底面部１３に対して鋭角に傾斜して配置されている。なお、これらの底面部１３と前面部１４と背面部１５との表面は必ずしも平面でなくてもよく、弧状に湾曲した面であってもよい。
【００１７】
データ表示装置５は、リモートコントローラ４と同様に室内機２との間で赤外線による双方向通信を行ない、室内機２から送信されたデータ（例えば、消費電力、測定した温度・湿度等）を表示する。但し、データ表示装置５は空気調和機１の運転に関する指示は出すことができず、単に空気調和機１に関する各種のデータを表示する装置として機能する。
【００１８】
また、データ表示装置５はテーブル面等の載置部１７に載置して使用されるものであり、底面部１３には載置部１７に接地される脚部１３ａが設けられている。
【００１９】
筐体１２の内部には、室内機２との間で赤外線による双方向通信を行うための表示装置側発光素子１８ａ、１８ｂ、表示装置側受光素子１９ａ、１９ｂ、液晶表示部２３、及びこれらの素子１８ａ、１８ｂ、１９ａ、１９ｂや液晶表示部２３に接続され、それぞれを制御するMCU及びその周辺回路からなる制御部２０と、駆動用の電池（図示せず）とが収容されている。
【００２０】
表示装置側発光素子１８ａと表示装置側受光素子１９ａとは第一のプリント回路基板２１ａに実装され、表示装置側発光素子１８ａと表示装置側受光素子１９ａとは前面部１４側の上部に配置されている。また、表示装置側発光素子１８ｂと表示装置側受光素子１９ｂとは第二のプリント回路基板２１ｂに実装され、表示装置側発光素子１８ｂと表示装置側受光素子１９ｂとは背面部１５側の下部に配置されている。
【００２１】
なお、前面部１４における表示装置側発光素子１８ａと表示装置側受光素子１９ａとに対向する領域、及び、背面部１５における表示装置側発光素子１８ｂと表示装置側受光素子１９ｂとに対向する領域は、光を透過するプラスチックス等の材料により形成されている。
【００２２】
ここで、表示装置側発光素子１８ａと表示装置側受光素子１９ａとが前面部１４側に配置されているとは、これらの素子１８ａ、１９ａが前面部１４に寄せて配置されていることを意味する。素子１８ａ、１９ａの配置位置は前面部１４の裏面側（筐体１２の内側）に限らず、前面部１４の表面側に露出していてもよい。また、表示装置側発光素子１８ｂと表示装置側受光素子１９ｂとが背面部１５側に配置されているとは、これらの素子１８ｂ、１９ｂが背面部１５に寄せて配置されていることを意味する。素子１８ｂ、１９ｂの配置位置は背面部１５の裏面側（筐体１２の内側）に限らず、背面部１５の表面側に露出していてもよい。
【００２３】
また、第一のプリント回路基板２１ａに実装された表示装置側発光素子１８ａと表示装置側受光素子１９ａとは、図１に示すように、前面部１４の長手方向の一端側に配置されている。同様に、第二のプリント回路基板２１ｂに実装された表示装置側発光素子１８ｂと表示装置側受光素子１９ｂとは、背面部１５の長手方向の一端側に配置されている。
【００２４】
筐体１２の前面部１４には、図１に示すように、操作部である押ボタン２２と表示部である液晶表示部２３とが設けられている。
【００２５】
押ボタン２２は、データ表示装置５と室内機２との間で双方向通信を行う場合に押すボタンである。この押ボタン２２を押すことにより、制御部２０による制御が行われ、表示装置側発光素子１８ａ、１８ｂから室内機２に向けてデータ送信要求の赤外線信号が送信される。このデータ送信要求信号が室内機２の室内機側受光素子７で受光されると、室内機２の室内機側発光素子から室内機２からのデータ送信用の赤外線信号が送信される。室内機２から送信された赤外線信号は、データ表示装置５の表示装置側受光素子１９ａ、１９ｂの双方又は一方で受信される。
【００２６】
ここで、データ表示装置５と室内機２との双方向通信は、押ボタン２２を押すことにより開始される。制御部２０は押ボタン２２が押されたことを検知して発光回路や受光回路をオンさせる。この動作は、制御部２０内に格納されたプログラムに基づいて実行される。なお、押ボタン２２が押されることによりデータ表示装置５と室内機２との双方向通信が開始された場合、消費電力低減のため、一定時間（例えば、１５秒）経過後に双方向通信の動作を終了させるようになっている。
【００２７】
液晶表示部２３では、室内機２から送信された赤外線信号を表示装置側受光素子１９ａ、１９ｂで受信した場合、その赤外線信号のデータが制御部２０により処理されて表示される。液晶表示部２３に表示されるデータとしては、例えば、室内機２内で測定している消費電力、室内機２内のセンサで測定した室内温度、室内湿度等である。なお、液晶表示部２３は時計表示機能を有しており、日時が常時表示されている。
【００２８】
図３は、データ表示装置５の表示部２３の表示例を示す正面図である。表示部２３は、３つの表示領域２４、２５、２６に区分けされている。左側の表示領域２４は、西暦の年月日表示部２４ａと、午前と午後の時刻表示部２４ｂとを有している。中央の表示領域２５は、室内の摂氏温度と湿度の表示部２５ａと、おすすめ運転の摂氏温度（推奨運転温度）の表示部２５ｂと、屋外摂氏温度表示部２５ｃとを有している。右側の表示領域２６は、赤外線による受信信号の受信エラー通知表示部２６ａと、運転時間表示部２６ｂと、今月の電気代または積算消費電力表示部（円／ｋＷ）２６ｃとを有している。
【００２９】
図４は、載置部１７に載置されたデータ表示装置５と室内機２とを示し、さらに、データ表示装置５と室内機２との間で双方通通信される赤外線信号を矢印で示している。なお、この図４では、前面部１４側の表示装置側発光素子１８ａと表示装置側受光素子１９ａとを用いて双方向通信される赤外線信号と、背面部１５側の表示装置側発光素子１８ｂと表示装置側受光素子１９ｂとを用いて双方向通信される赤外線信号とを示すため、同じ室内機２を実線と二点鎖線とで２つ表わしている。実際にはデータ表示装置５と室内機２の位置関係により実線と二点鎖線で表されるいずれか一方の信号が有効となる。また、この図４では、データ表示装置５の内部構造を示すためにデータ表示装置５を拡大して表わしており、このデータ表示装置５は操作者Ａが片手で把持できるサイズであり、例えば、載置部１７に載置した状態での高さ寸法は５ｃｍ程度である。
【００３０】
このような構成において、一方の表示装置側発光素子１８ａが前面部１４側に配置され、及び、他方の表示装置側発光素子１８ｂが背面部１５側に配置されているため、押ボタン２２を押した場合にデータ送信要求の赤外線信号がこれらの表示装置側発光素子１８ａ、１８ｂから送信され、赤外線信号が送信される領域が広くなる。したがって、載置部１７に載置されたデータ表示装置５と室内機２とが種々の位置関係にあっても、データ表示装置５の向きを調節するという操作を行うことなく、表示装置側発光素子１８ａ、１８ｂから送信される赤外線信号の少なくとも一方を室内機２の室内機側受光素子７で受信することができる。
【００３１】
特に、表示装置側発光素子１８ａが前面部１４側（押ボタン２２の設置側）の上部に配置されているため、前面部１４と室内機２との間に押ボタン２２を押す操作者Ａが入った場合でも、表示装置側発光素子１８ａから送信される赤外線信号が操作者Ａにより遮蔽されにくくなり、表示装置側発光素子１８ａから送信された赤外線信号を室内機側受光素子７が受信する性能を高めることができる。
【００３２】
また、表示装置側発光素子１８ｂが背面部１５側の下部に配置されているため、データ表示装置５が載置部１７の縁部に載置されている場合でも、載置部１７の表面で反射した赤外線信号が室内機２に向けて送信されるようになり、表示装置側発光素子１８ｂから送信される赤外線信号を室内機側受光素子７が受信する性能を高めることができる。
【００３３】
つぎに、一方の表示装置側受光素子１９ａが前面部１４側に配置され、及び、他方の表示装置側受光素子１９ｂが背面部１５側に配置されているため、室内機２の室内機側発光素子６から送信されたデータ送信用の赤外線信号を受信できる領域が広くなる。したがって、載置部１７に載置されたデータ表示装置５と室内機２とが種々の位置関係にあっても、データ表示装置５の向きを調節するという操作を行うことなく、室内機側発光素子６から送信された赤外線信号を少なくとも一方の表示装置側受光素子１９ａ、１９ｂで受信することができる。
【００３４】
特に、表示装置側受光素子１９ａが前面部１４側の上部に配置されているため、前面部１４と室内機２との間に押ボタン２２を押す操作者Ａが入った場合でも、表示装置側受光素子１９ａに向けて送信される赤外線信号が操作者Ａにより遮蔽されにくくなり、表示装置側受光素子１９ａが赤外線信号を受信する性能を高めることができる。
【００３５】
また、表示装置側受光素子１９ｂが背面部１５側の下部に配置されているため、データ表示装置５が載置部１７の縁部に載置されている場合でも、載置部１７の表面で反射した赤外線信号を表示装置側受光素子１９ｂが受信できるようになり、表示装置側受光素子１９ｂが赤外線信号を受信する性能を高めることができる。
【００３６】
以上のように、この第１の実施の形態によれば、室内機２から送信されるデータをデータ表示装置５の液晶表示部２３に表示させる際には押ボタン２２を押すだけでよく、室内機２から送信されるデータを液晶表示部２３に表示させる際の操作を容易に行なうことができるとともに、データ表示装置５と室内機２との間で行なわれる送信及び／又は受信の性能、すなわち、送受信確率を向上させることができる。
【００３７】
データ表示装置５と室内機２との間の双方向通信は操作者Ａが必要に応じて押ボタン２２を押した場合にのみ行なわれるため、データ表示装置５に内蔵された電池の電力消費を抑えることができ、データ表示装置５の電池を長持ちさせることができる。
【００３８】
なお、この第一の実施の形態の空気調和機１では、データ表示装置５は、室内機２から送信されるデータを表示する機能及び時計表示機能を有し、空気調和機１の運転制御はリモートコントローラ４で行う場合について説明したが、このデータ表示装置５にリモートコントローラ４の機能を持たせてもよい。
【００３９】
（第２の実施の形態）
本発明の第２の実施の形態に係るデータ表示装置５Ａを図５に基づいて説明する。なお、第２の実施の形態及び以下に説明する他の実施の形態において、第１の実施の形態において説明した構成要素と同じ構成要素には同じ符号を付し、重複する説明は省略する。このデータ表示装置５Ａは空気調和機の一部を構成するもので、その基本的な構成は図１ないし図３に示したデータ表示装置５と同じである。
【００４０】
データ表示装置５Ａは三角筒状の筐体１２を有し、筐体１２の内部には、室内機２との間で赤外線による双方向通信を行うための表示装置側発光素子３０ａ、３０ｂと、表示装置側受光素子３１ａ、３１ｂと、これらの素子３０ａ、３０ｂ、３１ａ、３１ｂに接続された制御部２０とが収容されている。
【００４１】
表示装置側発光素子３０ａと表示装置側受光素子３１ａとは第一のプリント回路基板３２ａに実装され、表示装置側発光素子３０ａと表示装置側受光素子３１ａとは前面部１４側の下部に配置されている。また、表示装置側発光素子３０ｂと表示装置側受光素子３１ｂとは第二のプリント回路基板３２ｂに実装され、表示装置側発光素子３０ｂと表示装置側受光素子３１ｂとは背面部１５側の下部に配置されている。
【００４２】
なお、前面部１４における表示装置側発光素子３０ａと表示装置側受光素子３１ａとに対向する領域、及び、背面部１５における表示装置側発光素子３０ｂと表示装置側受光素子３１ｂとに対向する領域は、光を透過するプラスチックス等の材料により形成されている。
【００４３】
また、第一のプリント回路基板３２ａに実装された表示装置側発光素子３０ａと表示装置側受光素子３１ａとは、前面部１４の長手方向の一端側に配置されている。同様に、第二のプリント回路基板３２ｂに実装された表示装置側発光素子３０ｂと表示装置側受光素子３１ｂとは、背面部１５の長手方向の一端側に配置されている。前面部１４には、図１に示す第１の実施の形態と同様に、押ボタン２２と液晶表示部２３とが設けられている。
【００４４】
このような構成において、一方の表示装置側発光素子３０ａが前面部１４側に配置され、及び、他方の表示装置側発光素子３０ｂが背面部１５側に配置されているため、押ボタン２２を押した場合にデータ送信要求の赤外線信号がこれらの表示装置側発光素子３０ａ、３０ｂから送信され、赤外線信号が送信される領域が広くなる。したがって、載置部１７に載置されたデータ表示装置５Ａと室内機２とが様々な位置関係にあっても、データ表示装置５Ａの向きを調節するという操作を行うことなく、表示装置側発光素子３０ａ、３０ｂから送信される赤外線信号の少なくとも一方を室内機２の室内機側受光素子７で受信することができる。
【００４５】
そして、これらの表示装置側発光素子３０ａ、３０ｂが前面部１４側又は背面部１５側の下部に配置されているため、データ表示装置５Ａが載置部１７の縁部に載置されている場合でも、載置部１７の表面で反射した赤外線信号が室内機２に向けて送信されるようになり、表示装置側発光素子３０ａ、３０ｂから送信される赤外線信号を室内機側受光素子７が受信する性能を高めることができる。
【００４６】
また、一方の表示装置側受光素子３１ａが前面部１４側に配置され、及び、他方の表示装置側受光素子３１ｂが背面部１５側に配置されているため、室内機２の室内機側発光素子６から送信されたデータ送信用の赤外線信号を受信できる領域が広くなる。したがって、載置部１７に載置されたデータ表示装置５Ａと室内機２とが様々な位置関係にあっても、データ表示装置５Ａの向きを調節するという操作を行うことなく、室内機側発光素子６から送信された赤外線信号を少なくとも一方の表示装置側受光素子３１ａ、３１ｂで受信することができる。
【００４７】
そして、これらの表示装置側受光素子３１ａ、３１ｂが前面部１４側又は背面部１５側の下部に配置されているため、データ表示装置５Ａが載置部１７の縁部に載置されている場合でも、載置部１７の表面で反射した赤外線信号を表示装置側受光素子３１ａ、３１ｂで受信できるようになり、表示装置側受光素子３１ａ、３１ｂが赤外線信号を受信する性能を高めることができる。
【００４８】
以上のように、この第２の実施の形態においても、室内機２から送信されるデータを液晶表示部２３に表示させる際の操作を容易に行なうことができるとともに、データ表示装置５Ａと室内機２との間で行なわれる送信及び／又は受信の性能、すなわち、送受信確率を向上させることができる。
【００４９】
（第３の実施の形態）
本発明の第３の実施の形態に係るデータ表示装置５Ｂを図６に基づいて説明する。このデータ表示装置５Ｂは空気調和機の一部を構成するもので、その基本的な構成は図１ないし図３に示したデータ表示装置５と同じである。
【００５０】
データ表示装置５Ｂは三角筒状の筐体１２を有し、筐体１２の内部には、室内機２との間で赤外線による双方向通信を行うための表示装置側発光素子４０ａ、４０ｂと、表示装置側受光素子４１ａ、４１ｂと、これらの素子４０ａ、４０ｂ、４１ａ、４１ｂに接続された制御部２０とが収容されている。
【００５１】
表示装置側発光素子４０ａと表示装置側受光素子４１ａとは第一のプリント回路基板４２ａに実装され、表示装置側発光素子４０ａと表示装置側受光素子４１ａとは前面部１４側の上部に配置されている。そして、これらの表示装置側発光素子４０ａと表示装置側受光素子４１ａとの下側に反射壁４３ａが設けられている。反射壁４３ａは、底面部１３と平行な向きに、言い換えると、データ表示装置５Ｂが載置される載置部１７の表面と平行な向きに形成されている。また、反射壁４３ａは、表示装置側発光素子４０ａから送信される赤外線信号を室内機側受光素子７に向けて反射する機能と、室内機側発光素子６から送信される赤外線信号を表示装置側受光素子４１ａに向けて反射する機能とを備えている。
【００５２】
表示装置側発光素子４０ｂと表示装置側受光素子４１ｂとは第二のプリント回路基板４２ｂに実装され、表示装置側発光素子４０ｂと表示装置側受光素子４１ｂとは背面部１５側の上部に配置されている。そして、これらの表示装置側発光素子４０ｂと表示装置側受光素子４１ｂとの下側に反射壁４３ｂが設けられている。反射壁４３ｂは、底面部１３と平行な向きに、言い換えると、データ表示装置５Ｂが載置される載置部１７の表面と平行な向きに形成されている。また、反射壁４３ｂは、表示装置側発光素子４０ｂから送信される赤外線信号を室内機側受光素子７に向けて反射する機能と、室内機側発光素子６から送信される赤外線信号を表示装置側受光素子４１ｂに向けて反射する機能とを備えている。
【００５３】
なお、前面部１４における表示装置側発光素子４０ａと表示装置側受光素子４１ａとに対向する領域、及び、背面部１５における表示装置側発光素子４０ｂと表示装置側受光素子４１ｂとに対向する領域は、光を透過するプラスチックス等の材料により形成されている。
【００５４】
また、第一のプリント回路基板４２ａに実装された表示装置側発光素子４０ａと表示装置側受光素子４１ａとは、前面部１４の長手方向の一端側に配置されている。同様に、第二のプリント回路基板４２ｂに実装された表示装置側発光素子４０ｂと表示装置側受光素子４１ｂとは、背面部１５の長手方向の一端側に配置されている。前面部１４には、図１に示す第１の実施の形態と同様に、押ボタン２２と液晶表示部２３とが設けられている。
【００５５】
このような構成において、一方の表示装置側発光素子４０ａが前面部１４側に配置され、及び、他方の表示装置側発光素子４０ｂが背面部１５側に配置されているため、押ボタン２２を押した場合にデータ送信要求の赤外線信号がこれらの表示装置側発光素子４０ａ、４０ｂから送信され、赤外線信号が送信される領域が広くなる。したがって、載置部１７に載置されたデータ表示装置５Ｂと室内機２とが様々な位置関係にあっても、データ表示装置５Ｂの向きを調節するという操作を行うことなく、表示装置側発光素子４０ａ、４０ｂから送信される赤外線信号の少なくとも一方を室内機２の室内機側受光素子７で受信することができる。
【００５６】
そして、これらの表示装置側発光素子４０ａ、４０ｂが前面部１４側又は背面部１５側の上部に配置されているため、前面部１４又は背面部１５と室内機２との間に押ボタン２２を押す操作者Ａが入った場合でも、表示装置側発光素子４０ａ、４０ｂから送信される赤外線信号が操作者Ａにより遮蔽されにくくなり、表示装置側発光素子４０ａ、４０ｂから送信された赤外線信号を室内機側受光素子７が受信する性能を高めることができる。
【００５７】
さらに、表示装置側発光素子４０ａ、４０ｂの下側に反射壁４３ａ、４３ｂが設けられているため、反射壁４３ａ、４３ｂで反射した赤外線信号が室内機２に向けて送信されるようになり、表示装置側発光素子４０ａ、４０ｂから送信される赤外線信号を室内機側受光素子７が受信する性能を高めることができる。
【００５８】
また、一方の表示装置側受光素子４１ａが前面部１４側に配置され、及び、他方の表示装置側受光素子４１ｂが背面部１５側に配置されているため、室内機２の室内機側発光素子６から送信されたデータ送信用の赤外線信号を受信できる領域が広くなる。したがって、載置部１７に載置されたデータ表示装置５Ｂと室内機２とが様々な位置関係にあっても、データ表示装置５Ｂの向きを調節するという操作を行うことなく、室内機側発光素子６から送信される赤外線信号を少なくとも一方の表示装置側受光素子４１ａ、４１ｂで受信することができる。
【００５９】
そして、これらの表示装置側受光素子４１ａ、４１ｂが前面部１４側又は背面部１５側の上部に配置されているため、前面部１４又は背面部１５と室内機２との間に押ボタン２２を押す操作者Ａが入った場合でも、表示装置側受光素子４１ａ、４１ｂ側に送信される赤外線信号が操作者Ａにより遮蔽されにくくなり、表示装置側受光素子４１ａ、４１ｂが赤外線信号を受信する性能を高めることができる。
【００６０】
さらに、表示装置側受光素子４１ａ、４１ｂの下側に反射壁４３ａ、４３ｂが設けられているため、反射壁４３ａ、４３ｂで反射した赤外線信号を表示装置側受光素子４１ａ、４１ｂで受信できるようになり、表示装置側受光素子４１ａ、４１ｂが赤外線信号を受信する性能を高めることができる。
【００６１】
以上のように、この第３の実施の形態によれば、室内機２から送信されるデータをデータ表示装置５Ｂの液晶表示部２３に表示させる際には押ボタン２２を押すだけでよく、室内機２から送信されるデータを液晶表示部２３に表示させる際の操作を容易に行なうことができるとともに、データ表示装置５Ｂと室内機２との間で行なわれる送信及び／又は受信の性能、すなわち、送受信確率を向上させることができる。
【図面の簡単な説明】
【００６２】
【図１】本発明の第１の実施の形態に係るデータ表示装置を含む空気調和機の全体構成を示す斜視図である。
【図２】第一の実施の形態に係るデータ表示装置を示す縦断側面図である。
【図３】データ表示装置の表示部の表示例を示す正面図である。
【図４】データ表示装置と室内機との間で双方向通信される赤外線信号の様子を説明する側面図である。
【図５】本発明の第２の実施の形態に係るデータ表示装置を示す縦断側面図である。
【図６】本発明の第３の実施の形態に係るデータ表示装置を示す縦断側面図である。
【符号の説明】
【００６３】
１    空気調和機
２    室内機
１２    筐体
１３    底面部
１４    前面部（第一面部）
１５    背面部（第二面部）
１７    載置部
１８ａ、１８ｂ  表示装置側発光素子
１９ａ、１９ｂ  表示装置側受光素子
２２    操作ボタン（操作部）
２３    液晶表示部（表示部）
３０ａ、３０ｂ  表示装置側発光素子
３１ａ、３１ｂ  表示装置側受光素子
４０ａ、４０ｂ  表示装置側発光素子
４１ａ、４１ｂ  表示装置側受光素子
４３ａ、４３ｂ  反射壁
【図１】
2009236376.tif 000003
【図２】
2009236376.tif 000004
【図３】
2009236376.tif 000005
【図４】
2009236376.tif 000006
【図５】
2009236376.tif 000007
【図６】
2009236376.tif 000008